(57)【要約】【課題】少量の内容液を噴出させることができる上、操作性にも優れるシリンジ型噴出容器を提案する。【解決手段】本発明のシリンジ型噴出容器１０は、内容液を充填した噴出部２０を胴部３１の先端側に保持するとともに胴部３１の後端側に指掛け部３４を備えるシリンジ３０と、シリンジ３０内に挿通され操作部４３の押圧によって噴出部２０の内容液を噴出させるプランジャー４０とを備え、指掛け部３４は、径方向外側へ延在するとともにその外縁から先端側に向けて湾曲して延びる一対の後端側フランジ３４ｂと、後端側フランジ３４ｂに対向して設けられ径方向外側へ延在する一対の先端側フランジ３４ｃとを備えることを特徴とする。【選択図】図１
2015123297.tif 000002
【特許請求の範囲】
【請求項１】
中空の胴部を有し、内容液を充填した噴出部を該胴部の先端側に保持するとともに該胴部の後端側に指掛け部を備えるシリンジと、該シリンジ内に挿通され操作部の押圧によって該噴出部の内容液を噴出させるプランジャーとを備えるシリンジ型噴出容器であって、
前記指掛け部は、径方向外側へ延在するとともにその外縁から先端側に向けて湾曲して延びる一対の後端側フランジと、該後端側フランジに対向して設けられ径方向外側へ延在する一対の先端側フランジとを備えるシリンジ型噴出容器。
【請求項２】
前記指掛け部は、前記胴部よりも大径となる中央部を備える請求項１に記載のシリンジ型噴出容器。
【発明の詳細な説明】
【技術分野】
【０００１】
本発明は、プランジャーへの押圧によって内容液を噴出させるシリンジ型噴出容器に関するものである。
【背景技術】
【０００２】
従来、薬液等の内容液を噴出させるものとしては、例えば特許文献１に示されるような、シリンジ内に操作用のロッド（プランジャー）を押し込むようにしたものが一般的である。
【先行技術文献】
【特許文献】
【０００３】
【特許文献１】特開平７−２１３６１２号公報
【発明の概要】
【発明が解決しようとする課題】
【０００４】
ところで、少量の内容液を噴出させるには、プランジャーのストローク量は大きく変えずに内容液の充填室を小径にする必要があるところ、これに対応させてシリンジを小径にすると、噴出させる際に指で保持しづらくなるため操作性が悪くなる。このため、従来のシリンジ型噴出容器は、少量の内容液を噴出させるのには不向きであった。
【０００５】
本発明は、このような従来の問題点を解決することを課題とするものであり、その目的は、少量の内容液を噴出させることができる上、操作性にも優れる、新たなシリンジ型噴出容器を提案するところにある。
【課題を解決するための手段】
【０００６】
本発明は、中空の胴部を有し、内容液を充填した噴出部を該胴部の先端側に保持するとともに該胴部の後端側に指掛け部を備えるシリンジと、該シリンジ内に挿通され操作部の押圧によって該噴出部の内容液を噴出させるプランジャーとを備えるシリンジ型噴出容器であって、
前記指掛け部は、径方向外側へ延在するとともにその外縁から先端側に向けて湾曲して延びる一対の後端側フランジと、該後端側フランジに対向して設けられ径方向外側へ延在する一対の先端側フランジとを備えるシリンジ型噴出容器である。
【０００７】
前記指掛け部は、前記胴部よりも大径となる中央部を備えることが好ましい。
【発明の効果】
【０００８】
本発明では、例えば人差し指と中指でシリンジを保持するとともにプランジャーを親指で操作する場合、人差し指と中指の腹で後端側フランジを支持し、人差し指と中指の背で先端側フランジを支持することができ、また、人差し指と中指の側部で後端側フランジの湾曲した部位を支持することができる。すなわち、少量の内容液を噴出させるのに適した小径のシリンジであっても、多数の部位で安定的に保持することができるので、優れた操作性を得ることができる。
【０００９】
シリンジが小径になると、これを保持する人差し指と中指の間隔が狭くなり、シリンジ後端側から噴出部周辺を見ようとしても、これらの指で隠されて見えにくくなるため、狭い部分に対して噴出させることが難しくなる。一方、指掛け部に、胴部よりも大径となる中央部を設ける場合は、人差し指と中指の間隔を広げることができるようになり、指の隙間を通して噴出部周辺を確認することが可能になるので使い勝手が良くなる。
【図面の簡単な説明】
【００１０】
【図１】本発明に従うシリンジ型噴出容器の一実施形態を示す、正面視での半断面図（噴出部は断面図）及び噴出部の部分拡大図である。
【図２】図１に示すシリンジに対し、（ａ）は正面図、下面図、及びＡ−Ａに沿う断面図であり、（ｂ）は側面図である。
【図３】図２に示す溝部の部分拡大図である。
【図４】図１に示すプランジャーの側面図である。
【発明を実施するための形態】
【００１１】
以下、図面を参照して、本発明のシリンジ型噴出容器の一実施形態を説明する。なお、本明細書、特許請求の範囲、要約書、及び図面において、先端とは、図１に示すシリンジに対して噴出部が位置する側であり、後端とはその逆側である。
【００１２】
図１において、符号１０は、本発明のシリンジ型噴出容器の一実施形態を示す。シリンジ型噴出容器は、内容液Ｆを充填した噴出部２０と、噴出部２０を保持するシリンジ３０と、シリンジ３０内に挿通されるプランジャー４０とを備えている。
【００１３】
噴出部２０は、円筒状のパイプ部材２１を備えている。パイプ部材２１は、先端側に設けられる小径部２１ａと、この小径部２１ａに連結する大径部２１ｂとを備えていて、大径部２１ｂの後端側には、径方向外側に向けて延在するフランジ部２１ｃが設けられている。
【００１４】
小径部２１ａには、スピンエレメント２２が設けられている。スピンエレメント２２は、小径部２１ａの内周面に嵌合保持される筒状部２２ａを備えていて、筒状部２２ａには、切り欠き部２２ｂが形成されている。また、筒状部２２ａの先端側には、有頂筒状の拡径部２２ｃが設けられており、筒状部２２ａと拡径部２２ｃとの接続部（段差部）が小径部２１ａの先端縁に当接されている。拡径部２２ｃの周壁には、筒状部２２ａの内側と連通するとともに径方向外側へ向けて開口する複数の開口２２ｄが形成されている。また、拡径部２２ｃの先端側の外周面には、前記開口２２ｄを噴出口２３ｃに連通させる溝部が設けられ、拡径部２２ｃの先端面には、周方向に間隔をあけて設けられ径方向に延在するとともに中央部にて合流する凹リブ２２ｅ（スピン溝）が設けられている。
【００１５】
スピンエレメント２２の外側には、有頂筒状のノズル２３が設けられている。ノズル２３は、小径部２１ａの外周面に嵌合保持されるとともに、拡径部２２ｃの外周面に設けた溝部との間に隙間を有する円筒状の周壁部２３ａと、拡径部２２ｃの頂壁に当接する頂壁部２３ｂとを備えていて、頂壁部２３ｂには、内容液Ｆの噴出口２３ｃが設けられている。これにより、パイプ部材２１の内部と噴出口２３ｃとは、筒状部２２ａの内側に形成される内部通路Ｔ１と、開口２２ｄの内側に形成される分岐通路Ｔ２と、拡径部２２ｃの外周面に設けた溝部と周壁部２３ａの内周面との間に形成される通路Ｔ３と、拡径部２２ｃの先端面に設けた凹リブ２２ｅと頂壁部２３ｂの後端面との間に形成される合流通路Ｔ４とで連通している。
【００１６】
ノズル２３の外側には、有頂筒状をなし大径部２１ｂに着脱自在に保持されるカバー２４が設けられている。これにより使用直前まで噴出口２３ｃを覆うことができる。
【００１７】
またパイプ部材２１の内部には、大径部２１ｂの内周面に対し摺動可能かつ液密に当接するピストン２５が設けられている。ピストン２５とスピンエレメント２２との間に充填される内容液Ｆは、ピストン２５を先端側に向けて移動させることで、噴出口２３ｃから噴出させることができる。
【００１８】
図１、図２に示すようにシリンジ３０は、中空形状をなす円筒状の胴部３１を備えている。胴部３１の先端側には、胴部３１よりも小径となる先端筒部３２と、この先端筒部３２を取り囲む装着筒部３３とが設けられている。装着筒部３３の内周面にはねじ部３３ａが設けられている。図１に示すように、先端筒部３２はパイプ部材２１の後端側からパイプ部材２１内に挿通されるように形成され、また装着筒部３３は、フランジ部２１ｃがねじ部３３ａに係合するように形成されている。なお、本実施形態の胴部３１は、外周面の直径が、約５〜１０ｍｍである。
【００１９】
胴部３１の後端側には、内容物を噴出させる際にシリンジ３０を保持するための指掛け部３４が設けられている。指掛け部３４は、胴部３１と同心に設けられるとともに胴部３１の外周面よりも大径（本実施形態では胴部３１の約２倍）になる外周面を有する中央部３４ａと、中央部３４ａから径方向外側へ延在する水平部ｆ１、及び水平部ｆ１の外縁から先端側に向けて湾曲して延びる湾曲部ｆ２を有する後端側フランジ３４ｂ（シリンジ３０の軸線Ｍを挟んで一対設けている）と、後端側フランジ３４ｂに対向して設けられ、中央部３４ａから径方向外側へ延在する水平部ｆ３を有する先端側フランジ３４ｃ（軸線Ｍを挟んで一対設けている）とを備えている。なお、図２（ａ）に示すように中央部３４ａの断面形状は、後端側フランジ３４ｂや先端側フランジ３４ｃと同幅になるよう、円の一部を直線で切り取った形状になっているが、このような切り取りのない完全な円形状でもよく、また楕円形状でも、四角形や六角形のような多角形状であってもよい。また、指掛け部３４の中心軸は、胴部３１の中心軸に対してずれていてもよい。また後端側フランジ３４ｂは、図１に示すように、中央部３４ａと水平部ｆ１との境界において、その先端側にＲ部ｆ４を備えている。また、先端側フランジ３４ｃは、中央部３４ａと水平部ｆ３との境界において、その後端側にＲ部ｆ５を備えている。水平部ｆ１と水平部ｆ３との間隔Ｄは、人の指の太さ程度（約１０ｍｍ〜２０ｍｍ、特には約１５ｍｍ）にしている。
【００２０】
また、胴部３１には、胴部３１を貫通する溝部３５が設けられている。溝部３５は、図３に示すように、中央部３４ａに設けられ、シリンジ３０の後端側から先端側に向かって（シリンジ３０の軸線Ｍに沿って）延在するプランジャー導入溝３５ａと、プランジャー導入溝３５ａに連結し、プランジャー導入溝３５ａと同方向に延在するとともにプランジャー導入溝３５ａよりも幅狭になる狭窄溝（第一狭窄溝）３５ｂと、第一狭窄溝３５ｂに連結し、第一狭窄溝３５ｂと同方向に延在するとともにプランジャー導入溝３５ａとほぼ同一の溝幅になる中間溝３５ｃと、この中間溝３５ｃに連結し、軸線Ｍに対して傾斜して延びる狭窄溝（第二狭窄溝）３５ｄと、第二狭窄溝３５ｄに連結し、軸線Ｍに沿って延在するとともにプランジャー導入溝３５ａとほぼ同一の溝幅になる第一押圧溝３５ｅと、第一押圧溝３５ｅの先端部３５ｆに連結するとともに軸線Ｍを周回する向きに沿って延在する迂回溝３５ｇと、迂回溝３５ｇに連結し、軸線Ｍに沿って延在するとともにプランジャー導入溝３５ａとほぼ同一の溝幅になる第二押圧溝３５ｈとを備えている。また、第一押圧溝３５ｅと第二押圧溝３５ｈの後端側には、第一押圧溝３５ｅ及び第二押圧溝３５ｈよりも幅狭（第一狭窄溝３５ｂ及び第二狭窄溝３５ｄよりは幅広）となる幅狭部３５ｉが設けられている。
【００２１】
図１、図４に示すようにプランジャー４０は、先端側に設けられる円柱状の小径軸部４１と、小径軸部４１に連結する大径軸部４２とを備えていて、大径軸部４２の後端側には径方向外側に向けて延在する平板状の操作部４３が設けられている。操作部４３には、径方向内側に向けて凹状となる凹部４３ａが設けられている。本実施形態の凹部４３ａは、シリンジ３０の軸線Ｍに対して均等配置で４つ設けられている。つまり、操作部４３は、平面視で略正方形状となっている。
【００２２】
また、大径軸部４２には、径方向外側に向けて突出する円柱状の突起４４が設けられている。突起４４の外径は、図３に示すプランジャー導入溝３５ａの溝幅（第一押圧溝３５ｅ、第二押圧溝３５ｈの溝幅）よりも小さいものの、幅狭部３５ｉの溝幅よりも僅かに大きくなっている。そして突起４４には、正面視で矩形状となるフランジ部４５が設けられている。なお、本実施形態では、突起４４と大径軸部４２とを一体成形するものであるが、突起４４及びフランジ部４５を一体に連結させたピン部材を準備するとともに、大径軸部４２に対して径方向内側に向かう穴を設け、この穴にピン部材の突起４４を嵌合させるようにしてもよい。
【００２３】
上記のように構成されるシリンジ型噴出容器から内容液Ｆを噴出させるに当たっては、突起４４をプランジャー導入溝３５ａに位置合わせしつつ、プランジャー４０をシリンジ３０の後端側から挿通し、図３に示すように突起４４が第一押圧溝３５ｅへ入り込むまでプランジャー４０を移動させる（噴出開始位置）。なお、この位置においてプランジャー４０の小径軸部４１は、図１に示すようにその先端部が、シリンジ３０の先端筒部３２から突出するように形成されている。
【００２４】
次いで、パイプ部材２１を先端筒部３２に挿入しつつ回転させ、フランジ部２１ｃを装着筒部３３のねじ部３３ａに係合させて、噴出部２０をシリンジ３０の先端側に保持する。この状態においてピストン２５は、その後端が小径軸部４１の先端に対して僅かに隙間をあけるか、小径軸部４１によって押し込まれる状態となっている。
【００２５】
その後は、カバー２４を取り外し、例えば人差し指と中指を後端側フランジ３４ｂと先端側フランジ３４ｃとの間に挿入すれば、人差し指と中指の腹で後端側フランジ３４ｂを支持し、人差し指と中指の背で先端側フランジ３４ｃを支持することができる。また、人差し指と中指の側部で、中央部３４ａと後端側フランジ３４ｂの湾曲部ｆ２を支持することができる。このように多数の部位でシリンジ３０を支持することができるので、安定して保持することができる。更に、後端側フランジ３４ｂと先端側フランジ３４ｃの根元には、Ｒ部ｆ４とＲ部ｆ５を設けているので、指当たりが良くなる。また、中央部３４ａによって人差し指と中指の間隔を広げることができるようになり、指の隙間を通して噴出部２０周辺を視認することが可能になるので、使い勝手が良くなる。例えば内容液Ｆとして点鼻用の薬液を用いる場合は、指の隙間から鼻腔を確認することができるので、噴出部２０を鼻腔へ挿入し易くなる。
【００２６】
そしてプランジャー４０の操作部４３に親指を当てがい、プランジャー４０を先端側に向けて押圧する。ここで、図３に示すように、第一押圧溝３５ｅの後端側には幅狭部３５ｉが設けられているので、突起４４が幅狭部３５ｉを移動する際にはプランジャー４０がゆっくり移動することになるものの、突起４４がこの幅狭部３５ｉを通過してしまうとプランジャー４０は素早く移動することになるので、噴出口２３ｃから内容液Ｆを勢いよく噴出させることができる。また、押し込まれたプランジャー４０は、突起４４が第一押圧溝３５ｅの先端部３５ｆに当接してその移動が停止されるので、第一押圧溝３５ｅの長さに相当する分の少量の内容液Ｆを定量で噴出させることができる。
【００２７】
次いで、プランジャー４０を軸線Ｍ周りに回転させて、先端部３５ｆに位置する突起４４を、迂回溝３５ｇに沿って第二押圧溝３５ｈへ移動させる。図４に示すように、操作部４３には凹部４３ａを設けているので、この凹部４３ａ（隣接する凹部４３ａ間の凸部）を指掛かりとしてプランジャー４０を回転させることができる。
【００２８】
その後、再度操作部４３を押圧することでプランジャー４０が押し込まれ（突起４４は第二押圧溝３５ｈに沿って移動する）、第二押圧溝３５ｈの長さに相当する分の内容液Ｆを噴出させることができる。第二押圧溝３５ｈの後端側にも幅狭部３５ｉが設けられているので、一回目の噴出と同様に、噴出口２３ｃから内容液Ｆを勢いよく噴出させることができる。なお、プランジャー４０を最後まで押し込んだ際に、図１に示すようにピストン２５がスピンエレメント２２の筒状部２２ａに当接した場合でも、筒状部２２ａには切り欠き部２２ｂを設けているので、内部通路Ｔ１が閉鎖されてしまうことはない。
【００２９】
本実施形態の噴出部２０は、シリンジ３０に対して着脱自在に装着されるものであって、内容液Ｆを噴出した後は新たな噴出部２０に取り換えることで、シリンジ３０、プランジャー４０を再利用することができる（噴出部２０をカートリッジとして用いている）。なお、新たな噴出部２０をシリンジ３０に装着するに当たっては、プランジャー４０を後端側へ引き出して、突起４４を第二押圧溝３５ｈから第一押圧溝３５ｅの後端側（噴出開始位置）へ移動させておく。その後は上述した手順で、新たな内容液Ｆを噴出させることができる。
【００３０】
本発明に従うシリンジ型噴出容器は、本実施形態に限定されるものではなく、特許請求の範囲に従う範囲で種々の変更が可能である。例えば噴出部２０は、シリンジ３０のねじ部３３ａで保持されるようにしたが、ねじ部３３ａに代えてアンダーカットを設け、このアンダーカットに係合されるようにしてもよい。また、噴出部２０のスピンエレメント２２に代えてメッシュを設けることで、内容液を泡状にして噴出させることもできる。また、幅狭部３５ｉは設けなくてもよい。
【産業上の利用可能性】
【００３１】
本発明によれば、少量の内容液を噴出させることができる上、シリンジを安定的に保持することができるので操作性にも優れる、新規のシリンジ型噴出容器を提供することができる。
【符号の説明】
【００３２】
１０  シリンジ型噴出容器
２０  噴出部
２１  パイプ部材
２１ａ  小径部
２１ｂ  大径部
２１ｃ  フランジ部
２２  スピンエレメント
２２ａ  筒状部
２２ｂ  切り欠き部
２２ｃ  拡径部
２２ｄ  開口
２２ｅ  リブ
２３  ノズル
２３ａ  周壁部
２３ｂ  頂壁部
２３ｃ  噴出口
２４  カバー
２５  ピストン
３０  シリンジ
３１  胴部
３２  先端筒部
３３  装着筒部
３３ａ  ねじ部
３４  指掛け部
３４ａ  中央部
３４ｂ  後端側フランジ
３４ｃ  先端側フランジ
３５  溝部
３５ａ  プランジャー導入溝
３５ｂ  狭窄溝（第一狭窄溝）
３５ｃ  中間溝
３５ｄ  狭窄溝（第二狭窄溝）
３５ｅ  第一押圧溝
３５ｆ  先端部
３５ｇ  迂回溝
３５ｈ  第二押圧溝
３５ｉ  幅狭部
４０  プランジャー
４１  小径軸部
４２  大径軸部
４３  操作部
４３ａ  凹部
４４  突起
４５  フランジ部
Ｆ  内容液
ｆ１  水平部
ｆ２  湾曲部
ｆ３  水平部
ｆ４  Ｒ部
ｆ５  Ｒ部
Ｍ  シリンジの軸線
Ｔ１  内部通路
Ｔ２  分岐通路
Ｔ３  通路
Ｔ４  合流通路
【図１】
2015123297.tif 000003
【図２】
2015123297.tif 000004
【図３】
2015123297.tif 000005
【図４】
2015123297.tif 000006